(57)【特許請求の範囲】
【請求項１】
回転する円筒状の素管と、周方向に複数の磁極を有して前記素管と同一軸心上に固定されたマグネットと、該マグネットの両端を支持して前記素管の両端に圧入された軸とで構成される現像装置における現像剤担持体において、
前記軸のマグネット対向面を座グリ形状とし、前記マグネットの両端部の直径を他の部分よりも小径にして該両端部を前記軸の座グリ部に支持させたことを特徴とする現像装置における現像剤担持体。
【請求項２】
前記マグネットの両端部の小径部の表面磁力を他の部分の表面磁力よりも高く着磁して前記素管の表面磁力が軸方向に均一になるようにしたことを特徴とする請求項１記載の現像装置における現像剤担持体。
【発明の詳細な説明】
【０００１】
【発明の属する技術分野】
本発明は、電子写真画像形成装置の現像装置に用いられる現像剤担持体に関するものである。
【０００２】
【従来の技術】
電子写真画像形成装置に用いられている従来の現像装置の断面を図２に示し、同現像装置に用いられる現像剤担持体である現像スリーブの断面を図３に示す。
【０００３】
図２に示す現像装置において、１１は現像容器であり、この現像容器１１は蓋１２と共に現像剤であるトナーが外部に漏れないように各接合部をシール手段等を用いて密閉化している。１３はスクリューであり、このスクリュー１３は現像装置の手前に配置された不図示のホッパーから供給されたトナーを奥側へ搬送するとともに、トナーを現像容器１１内に長手方向に均一に落下させる機能を果たす。
【０００４】
又、１４，１５は図示矢印方向に回転する撹拌棒であり、これらは現像容器１１内のトナーを撹拌するとともにトナーを現像スリーブＳ方向に搬送する機能を有している。そして、現像容器１１の感光ドラムＤ側には、現像剤担持体である現像スリーブＳが現像容器１１に回転自在に支持されており、現像容器１１内のトナーは現像スリーブＳに吸着された後、現像スリーブＳと所定ギャップを形成したドクターブレード１６によってコート層厚をコントロールされ、感光ドラムＤと現像スリーブＳの近接した部分に回転搬送されて静電潜像が形成された感光ドラムＤに供給される。
【０００５】
ここで、現像スリーブＳの詳細を図３に基づいて以下に説明する。
【０００６】
現像スリーブＳは、回転自在な素管であるスリーブ６の内部に磁極が所定位置に対向するよう着磁されたマグネット１を回転しないよう固定して構成されている。例えば、Ｓ１は現像容器１１内のトナーを吸着搬送させる搬送極であり、ドクターブレード１６に対向する位置にはカット極Ｎ１、感光ドラムＤに対向する位置には現像極Ｎ２、これらの極Ｓ１，Ｎ１間には回転によってトナーが飛散しないようスリーブ６上にトナーを拘束するための搬送極Ｓ２，Ｓ３，Ｎ３がそれぞれ設けられている。
【０００７】
ところで、マグネット１は固定軸２の周りに同軸性を保ちつつ成型されているおり、固定軸２はその両端がベアリング３−１，３−２を介して駆動入力フランジ４と固定軸貫通フランジ５に回転自在に支持されている。特に、固定軸貫通フランジ５には、マグネット１の固定軸２が外部から固定できるように孔が形成されている。そして、スリーブ６と駆動入力フランジ４及び固定軸貫通フランジ５は、圧入締結することによって強度保証とマグネット１とスリーブ６の同軸保証を行っている。
【０００８】
而して、現像スリーブＳはベアリング７によって現像容器１１に回転自在に支持されており、駆動入力フランジ４に設けられたギヤ８によって回転が与えられる一方、固定軸貫通フランジ５側に設けられた極決め板９によって内部のマグネット１は所定位置で回転固定される。
【０００９】
【発明が解決しようとする課題】
しかしながら、上記従来例ではマグネット１とスリーブ６の同軸性を保ちつつこれらに所要の強度を確保するためには、スリーブ１と両端フランジ４，５の圧入代を長くする必要性があったため、電子写真画像形成装置の小型化によって必要性に迫られてくる現像装置の小型化と現像域の確保という２つの相反する命題を満足する方法は存在しなかった。
【００１０】
従って、本発明の第１の目的とする処は、長手方向の長さを伸ばすことなく磁力の有効域を広く確保することができる現像装置における現像剤担持体を提供することにある。
【００１１】
又、本発明の第２の目的とする処は、マグネット両端の小径部の表面磁力を他の部分の表面磁力より高めることによって組立後の表面磁力の均一化を可能とした現像装置における現像剤担持体を提供することにある。
【００１２】
【課題を解決するための手段】
上記目的を達成するため、請求項１記載の発明は、回転する円筒状の素管と、周方向に複数の磁極を有して前記素管と同一軸心上に固定されたマグネットと、該マグネットの両端を支持して前記素管の両端に圧入された軸とで構成される現像装置における現像剤担持体において、前記軸のマグネット対向面を座グリ形状とし、前記マグネットの両端部の直径を他の部分よりも小径にして該両端部を前記軸の座グリ部に支持させたことを特徴とする。
【００１３】
請求項２記載の発明は、請求項１記載の発明において、前記マグネットの両端部の小径部の表面磁力を他の部分の表面磁力よりも高く着磁して前記素管の表面磁力が軸方向に均一になるようにしたことを特徴とする。
【００１４】
【発明の実施の形態】
以下に本発明の実施の形態を添付図面に基づいて説明する。
【００１５】
図１は本発明に係る現像剤担持体である現像スリーブの断面図であり、本図においては図３に示したと同一要素には同一符号を付している。
【００１６】
本発明に係る現像スリーブＳにおいて、１は固定軸２の周りに同軸を保証して形成されたマグネットであり、このマグネット１の周方向の所定の位置には必要とされる磁力が着磁されている。
【００１７】
又、マグネット１の両端部には他の部分に比べて直径を小さくした小径部１−１が形成されている。そして、固定軸２の一端はベアリング３−１を介して駆動入力フランジ４に回転自在に支持され、他端はベアリング３−２を介して固定軸貫通フランジ５に回転自在に支持されている。
【００１８】
上記駆動入力フランジ４と固定軸貫通フランジ５のマグネット１の端面との対向面にはマグネット１の小径部１−１より大きな径で座グリ部４−１，５−１がそれぞれ形成されており、組立後にマグネット１の端部とフランジ４，５とをオーバーラップさせることが可能になる。
【００１９】
又、６は表面をブラスト処理した非磁性ＳＵＳのパイプ材（素管）で構成されたスリーブであり、該スリーブ６はその軸方向両端部がフランジ４，５の外周に圧入されるが、組立後の強度とマグネット１とスリーブ６の同軸度を保証するために必要な圧入代が確保されている。
【００２０】
而して、現像スリーブＳはその軸方向両端部がベアリング７によって現像容器１１に支持され、駆動入力フランジ４に設けられたギヤ８によって回転が与えられることによってスリーブ６が回転する一方、固定軸貫通フランジ５側に設けられた極決め板９によって内部のマグネット１が所定位置で回転固定される。
【００２１】
次に、マグネット１の長手方向の着磁方法について説明する。
【００２２】
図１（ａ）にマグネット１表面の磁力、同図（ｂ）にスリーブ６表面の磁力をそれぞれ示すが、磁力はマグネット１表面から距離が離れるに従って低下する傾向を有している。従って、マグネット１の両端に形成された小径部１−１の表面磁力が高くなるように着磁することによって、スリーブ６表面の磁力を軸方向に均一にすることが可能になる。
【００２３】
以上のような構成を採用するすることによって、現像スリーブＳの全長を伸ばすことなく磁力の有効域を広く確保することが可能になる。
【００２４】
尚、マグネット１の両端部の形状、フランジ４，５の座グリ部４−１，５−１の形状、マグネット１の表面磁力は本実施の形態に限定されないことは言うまでもない。
【００２５】
【発明の効果】
以上の説明で明らかなように、請求項１記載の発明によれば、軸のマグネット対向面を座グリ形状とし、マグネットの両端部の直径を他の部分よりも小径にして該両端部を前記軸の座グリ部に支持させたため、現像剤担持体の長手方向の長さを伸ばすことなく磁力の有効域を広く確保することができるという効果が得られる。
【００２６】
又、請求項２記載の発明によれば、マグネットの両端部の小径部の表面磁力を他の部分の表面磁力よりも高く着磁して素管の表面磁力が軸方向に均一になるようにしたため、組立後の現像剤担持体の表面磁力の均一化を実現することができるという効果が得られる。
【図面の簡単な説明】
【図１】本発明に係る現像剤担持体である現像スリーブの断面図である。
【図２】従来の現像装置の断面図である。
【図３】従来の現像剤担持体である現像スリーブの断面図である。
【符号の説明】
１        マグネット
１−１    小径部
４        駆動入力フランジ（軸）
４−１    座グリ部
５        固定軸貫通フランジ（軸）
５−１    座グリ部
６        スリーブ（素管）
Ｓ        現像スリーブ（現像剤担持体）
【図１】
0003573404.tif 000002
【図２】
0003573404.tif 000003
【図３】
0003573404.tif 000004